(57)【特許請求の範囲】
【請求項１】
ＤＣ電力をＡＣ電力または電圧値の異なるＤＣ電力に変換する太陽電池用電力変換装置であって、
接地線が接続可能な接地線接続部と、
ＤＣ電力入力側の片側と前記接地線接続部との接続経路と、
前記接続経路上に設けられる抵抗素子を有する高周波阻止部とを備え、
前記ＤＣ電力入力側の片側が接地されることを特徴とする太陽電池用電力変換装置。
【請求項２】
前記高周波阻止部が、前記抵抗素子及びインダクタンス素子を直列接続したものである請求項１に記載の太陽電池用電力変換装置。
【請求項３】
ＤＣ電力をＡＣ電力に変換するインバータと、
前記インバータの前段に設けられ、前記ＤＣ電力入力側に流出する前記インバータの高周波ノイズを除去するＤＣフィルタとを備え、
前記ＤＣ電力入力側の片側が、前記インバータと前記ＤＣフィルタとの接続ノードにおいて前記接続経路に接続される請求項１又は２に記載の太陽電池用電力変換装置。
【請求項４】
前記ＤＣ電力入力側の片側が前記ＤＣ電力入力側の負極である請求項３に記載の太陽電池用電力変換装置。
【請求項５】
前記ＤＣ電力入力側の片側が前記ＤＣ電力入力側の正極である請求項３に記載の太陽電池用電力変換装置。
【請求項６】
請求項１〜５のいずれか１項に記載の太陽電池用電力変換装置と、
前記太陽電池用電力変換装置にＤＣ電力を供給する太陽電池モジュールと、
前記太陽電池用電力変換装置の接地線接続部に接続される接地線とを備えることを特徴とする太陽光発電システム。
【発明の詳細な説明】
【技術分野】
【０００１】
本発明は、ＤＣ（direct current）電力をＡＣ（alternating current）電力または電圧値の異なるＤＣ電力に変換する電力変換装置及びそれを備える発電システムに関する。
【背景技術】
【０００２】
ＤＣ電力をＡＣ電力または電圧値の異なるＤＣ電力に変換する電力変換装置では、ＤＣ電力入力側の正負極両方がアースに落ちない限り不安全な状態にならないため、通常、ＤＣ電力入力側を非接地にしている。特に、太陽光発電システムの一構成要素として用いられる太陽光発電システム用電力変換装置は、その大半がＤＣ電力入力側を非接地にしているものである（例えば特許文献１参照）。
【０００３】
図６は、従来の太陽光発電システムの概略構成例を示すブロック図である。
【０００４】
図６に示す太陽光発電システムは、電力変換装置１Ｆと太陽電池モジュール２とを備える。電力変換装置１Ｆは、ＤＣ電力入力側を非接地にしているタイプの従来の太陽光発電システム用電力変換装置であり、正極入力端子Ｔ１と、負極入力端子Ｔ２と、ＤＣブレーカ１１と、ＤＣフィルタ１２と、単相フルブリッジインバータであるインバータ１３と、ＡＣフィルタ１４と、出力端子Ｔ３と、制御部１５と、接地端子Ｔ４とを有する。
【０００５】
太陽電池モジュール２の正極が電力変換装置１Ｆの正極入力端子Ｔ１に接続され、太陽電池モジュール２の負極が電力変換装置１Ｆの負極入力端子Ｔ２に接続される。また、商用系統３が電力変換装置１Ｆの出力端子Ｔ３に接続される。太陽電池モジュール２から出力されるＤＣ電力が電力変換装置１Ｆ内のインバータ１３で商用周波数のＡＣ電力に変換されることにより、太陽光発電システムと商用系統３との連系が可能になる。
【０００６】
電力変換装置１ＦのＤＣ電力入力側は非接地であるが、電気設備技術基準の規定を満たすために、電力変換装置１Ｆの筐体は接地線４を介して接地される。より具体的には、電力変換装置１Ｆの筐体と接地端子Ｔ４とは導通しており、その接地端子Ｔ４に接続される接地線４を用いてＤ種接地工事が施工され、電力変換装置１Ｆの筐体が接地される。接地端子Ｔ４は、接地線が接続可能な接地線接続部の一例である。
【０００７】
制御部１５は、例えばインバータ１３の入力電流及び入力電圧を検出し、最大電力追従方式でインバータ１３を制御する。インバータ１３は、制御部１５から出力されるスイッチング素子駆動信号（例えばＰＷＭ（pulse width modulation）信号）に基づいて、スイッチング素子を高速でスイッチングさせるため、高周波ノイズの発生源になり、電源線や筐体全体を通して外部に高周波の電波を放射してラジオやテレビ等に電波障害を起こすおそれがある。高周波ノイズの規制は公的規格によってなされており、太陽光発電システムに関しては財団法人電気安全環境研究所によって雑音端子電圧が規定されている。
【０００８】
雑音端子電圧に関する規定を満たすため、電力変換装置１Ｆでは、インバータ１３から正極入力端子Ｔ１及び負極入力端子Ｔ２に高周波ノイズが流出することを抑制するためのＤＣフィルタ１２がインバータ１３の前段に設けられ、インバータ１３から出力端子Ｔ３に高周波ノイズが流出することを抑制するためのＡＣフィルタ１４がインバータ１３の後段に設けられている。
【０００９】
また、電力変換装置１Ｆは、太陽光発電システムの異常時にＤＣブレーカ１１が動作することで、太陽電池モジュール２を電気的に切り離すことができる。
【００１０】
上述した通り、太陽光発電システムの一構成要素として用いられる太陽光発電システム用電力変換装置は、その大半がＤＣ電力入力側を非接地にしているものである。しかしながら、太陽光発電システム用電力変換装置に接続する太陽電池モジュールの特性によっては、太陽光発電システム用電力変換装置のＤＣ電力入力側の正極及び負極のいずれか一方を接地することが望ましい場合がある。
【００１１】
図７は、従来の太陽光発電システムの他の概略構成例を示すブロック図である。なお、図７において図６と同一の部分には同一の符号を付す。
【００１２】
図７に示す太陽光発電システムは、電力変換装置１Ｇと太陽電池モジュール２とを備える。電力変換装置１Ｇは、ＤＣ電力入力側の負極が接地されるタイプの従来の太陽光発電システム用電力変換装置であり、正極入力端子Ｔ１と、負極入力端子Ｔ２と、ＤＣブレーカ１１と、ＤＣフィルタ１２と、インバータ１３と、ＡＣフィルタ１４と、出力端子Ｔ３と、制御部１５と、地絡保護ヒューズ１６と、地絡検出回路１７と、接地端子Ｔ４とを有する。
【００１３】
太陽電池モジュール２の正極が電力変換装置１Ｇの正極入力端子Ｔ１に接続され、太陽電池モジュール２の負極が電力変換装置１Ｇの負極入力端子Ｔ２に接続される。また、商用系統３が電力変換装置１Ｇの出力端子Ｔ３に接続される。太陽電池モジュール２から出力されるＤＣ電力が電力変換装置１Ｇ内のインバータ１３で商用周波数のＡＣ電力に変換されることにより、太陽光発電システムと商用系統３との連系が可能になる。インバータ１３は、制御部１５から出力されるスイッチング素子駆動信号に基づいて、スイッチング素子を高速でスイッチングさせることにより、太陽電池モジュール２から出力されるＤＣ電力を商用周波数のＡＣ電力に変換している。
【００１４】
電力変換装置１ＧのＤＣ電力入力側の負極は、地絡保護ヒューズ１６及び地絡検出回路１７を介して、接地端子Ｔ４に接続されている。また、電力変換装置１Ｇの筐体と接地端子Ｔ４とは導通している。接地端子Ｔ４に接続される接地線４を用いてＤ種接地工事が施工され、電力変換装置１ＧのＤＣ電力入力側の負極が接地される。
【００１５】
万が一、電力変換装置１ＧのＤＣ電力入力側の正極が地絡した場合は、地絡保護ヒューズ１６に過電流が流れて溶断することで、或いは、地絡検出回路１７が過電流を検出して、ＤＣブレーカ１１に遮断信号を送りＤＣブレーカ１１を動作させ、正極入力端子Ｔ１及び負極入力端子Ｔ２とＤＣフィルタ１２とを電気的に切り離すことで、地絡による不安全な状態を回避する。
【先行技術文献】
【特許文献】
【００１６】
【特許文献１】特開２００５−３１２２８７号公報（第１図、第２図）
【発明の概要】
【発明が解決しようとする課題】
【００１７】
ＤＣ電力入力側の正極及び負極のいずれか一方が接地される電力変換装置においては、インバータ内の高周波電流により発生した高周波ノイズが電力変換装置のＤＣ電力入力側の正極及び負極のいずれか一方の接地線から高周波ノイズが外部に漏洩してしまう。その結果、雑音端子電圧に関する規定を満たさないおそれがある。
【００１８】
本発明は、上記の状況に鑑み、ＤＣ電力入力側の正極及び負極のいずれか一方が接地される電力変換装置であって、高周波ノイズが接地線を介して外部に漏洩することを抑制することができる電力変換装置及びそれを備える発電システムを提供することを目的とする。
【課題を解決するための手段】
【００１９】
上記目的を達成するために本発明に係る電力変換装置は、ＤＣ電力をＡＣ電力または電圧値の異なるＤＣ電力に変換する電力変換装置であって、接地線が接続可能な接地線接続部と、ＤＣ電力入力側の片側と前記接地線接続部との接続経路と、前記接続経路上に設けられる高周波阻止部とを備え、前記ＤＣ電力入力側の片側が接地される構成とする。
【００２０】
また、前記高周波阻止部が、抵抗素子及びインダクタンス素子の少なくとも一方を有してもよい。さらに、前記高周波阻止部が、前記抵抗素子及び前記インダクタンス素子を直列接続したものであってもよい。
【００２１】
また、ＤＣ電力をＡＣ電力に変換するインバータと、前記インバータの前段に設けられ、前記ＤＣ電力入力側に流出する前記インバータの高周波ノイズを除去するＤＣフィルタとを備え、前記ＤＣ電力入力側の片側が、前記インバータと前記ＤＣフィルタとの接続ノードにおいて前記接続経路に接続されるようにしてよい。
【００２２】
また、前記ＤＣ電力入力側の片側は、前記ＤＣ電力入力側の負極、前記ＤＣ電力入力側の正極のいずれであっても構わない。
【００２３】
また、上記目的を達成するために本発明に係る発電システムは、上記いずれかの構成の電力変換装置と、前記電力変換装置にＤＣ電力を供給する直流電源と、前記電力変換装置の接地線接続部に接続される接地線とを備える構成とする。
【００２４】
また、本発明に係る発電システムの一例としては、前記直流電源が太陽電池モジュールである太陽光発電システムが挙げられる。
【発明の効果】
【００２５】
本発明によると、電力変換装置においてＤＣ電力入力側の正極及び負極のいずれか一方が接地されるが、高周波阻止部を設けているので、高周波ノイズが接地線を介して外部に漏洩することを抑制することができる。
【図面の簡単な説明】
【００２６】
【図１】本発明の第１実施形態に係る太陽光発電システムの概略構成を示すブロック図である。
【図２】本発明の第２実施形態に係る太陽光発電システムの概略構成を示すブロック図である。
【図３】本発明の第３実施形態に係る太陽光発電システムの概略構成を示すブロック図である。
【図４】本発明の第４実施形態に係る太陽光発電システムの概略構成を示すブロック図である。
【図５】本発明に係る太陽光発電システムの概略構成例を示すブロック図である。
【図６】従来の太陽光発電システムの概略構成例を示すブロック図である。
【図７】従来の太陽光発電システムの他の概略構成例を示すブロック図である。
【発明を実施するための形態】
【００２７】
本発明の実施形態について図面を参照して以下に説明する。
【００２８】
＜第１実施形態＞
図１は、本発明の第１実施形態に係る太陽光発電システムの概略構成を示すブロック図である。なお、図１において図７と同一の部分には同一の符号を付す。
【００２９】
本発明の第１実施形態に係る太陽光発電システムは、電力変換装置１Ａと太陽電池モジュール２とを備える。電力変換装置１Ａは、接地工事の施工によりＤＣ電力入力側の負極が接地されるタイプの太陽光発電システム用電力変換装置であり、正極入力端子Ｔ１と、負極入力端子Ｔ２と、ＤＣブレーカ１１と、ＤＣフィルタ１２と、インバータ１３と、ＡＣフィルタ１４と、出力端子Ｔ３と、制御部１５と、抵抗素子Ｒ１と、地絡保護ヒューズ１６と、地絡検出回路１７と、接地端子Ｔ４とを有する。
【００３０】
太陽電池モジュール２の正極が電力変換装置１Ａの正極入力端子Ｔ１に接続され、太陽電池モジュール２の負極が電力変換装置１Ａの負極入力端子Ｔ２に接続される。また、商用系統３が電力変換装置１Ａの出力端子Ｔ３に接続される。太陽電池モジュール２から出力されるＤＣ電力が電力変換装置１Ａ内のインバータ１３で商用周波数のＡＣ電力に変換されることにより、本発明の第１実施形態に係る太陽光発電システムと商用系統３との連系が可能になる。
【００３１】
電力変換装置１Ａでは、インバータ１３から正極入力端子Ｔ１及び負極入力端子Ｔ２に高周波ノイズが流出することを抑制するためのＤＣフィルタ１２がインバータ１３の前段に設けられ、インバータ１３から出力端子Ｔ３に高周波ノイズが流出することを抑制するためのＡＣフィルタ１４がインバータ１３の後段に設けられている。
【００３２】
電力変換装置１ＡのＤＣ電力入力側の負極は、ＤＣフィルタ１２とインバータ１３との接続ノードにおいて抵抗素子Ｒ１の一端に接続され、抵抗素子Ｒ１、地絡保護ヒューズ１６、及び地絡検出回路１７を介して、接地端子Ｔ４に接続されている。また、電力変換装置１Ａの筐体と接地端子Ｔ４とは導通している。接地端子Ｔ４に接続される接地線４を用いてＤ種接地工事が施工され、電力変換装置１ＡのＤＣ電力入力側の負極が接地される。
【００３３】
万が一、電力変換装置１ＡのＤＣ電力入力側の正極が地絡した場合は、地絡保護ヒューズ１６に過電流が流れて溶断することで、或いは、地絡検出回路１７が過電流を検出して、ＤＣブレーカ１１に遮断信号を送りＤＣブレーカ１１を動作させ、正極入力端子Ｔ１及び負極入力端子Ｔ２とＤＣフィルタ１２とを電気的に切り離すことで、地絡による不安全な状態を回避する。
【００３４】
電力変換装置１Ａは、上述した通り接地工事の施工により電力変換装置１ＡのＤＣ電力入力側の負極が接地されるので、例えば太陽電池モジュール２が負極を接地せずに長期間発電を続けると特性が劣化する場合などに、好適である。
【００３５】
しかし、接地工事の施工により電力変換装置１ＡのＤＣ電力入力側の負極が接地される構成を採用したため、電力変換装置１Ａのインバータ１３内の高周波電流により発生した高周波ノイズが電力変換装置１ＡのＤＣ電力入力側の負極からの接地線４に回り込み、中波帯を中心にして高周波ノイズが外部に漏洩することを抑制する方策を講じる必要がある。
【００３６】
そこで、電力変換装置１Ａでは、高周波ノイズが接地線４に回り込んで外部に漏洩することを抑制するために、低抵抗（例えば約10Ω）の抵抗素子Ｒ１をＤＣ電力入力側の負極と接地端子Ｔ４との接続経路上に設けている。この低抵抗とは、ＤＣ電力入力側の負極を接地して太陽電池モジュール２の特性が劣化しない上限値以下であるとともに、インバータ１３から発生した高周波ノイズが接地端子Ｔ４から流出するのを阻止する下限値以上である。低抵抗（例えば約10Ω）の抵抗素子Ｒ１は、ＤＣ電力入力側の負極から接地端子Ｔ４への高周波ノイズの流出を阻止する高周波阻止部として機能する一方、低抵抗（例えば約10Ω）であるためＤＣ電力入力側の負極接地の妨げにならない。
【００３７】
＜第２実施形態＞
図２は、本発明の第２実施形態に係る太陽光発電システムの概略構成を示すブロック図である。なお、図２において図１と同一の部分には同一の符号を付し、詳細な説明を省略する。
【００３８】
本発明の第２実施形態に係る太陽光発電システムは、電力変換装置１Ｂと太陽電池モジュール２とを備える。電力変換装置１Ｂは、電力変換装置１Ａから抵抗素子Ｒ１を取り除きその代わりにインダクタンス素子Ｌ１を設けた構成であり、電力変換装置１Ａと同様、接地工事の施工によりＤＣ電力入力側の負極が接地されるタイプの太陽光発電システム用電力変換装置である。接地端子Ｔ４に接続される接地線４を用いてＤ種接地工事が施工され、電力変換装置１ＢのＤＣ電力入力側の負極が接地される。
【００３９】
電力変換装置１Ｂでは、高周波ノイズが接地線４に回り込んで外部に漏洩することを抑制するために、高周波成分のインピーダンスが高い（例えば100kHzで約100Ω）インダクタンス素子Ｌ１をＤＣ電力入力側の負極と接地端子Ｔ４との接続経路上に設けている。インダクタンス素子Ｌ１のインピーダンス値は、ＤＣ電力入力側の負極を接地して太陽電池モジュール２の特性が劣化せず、且つ、インバータ１３から発生した高周波ノイズが接地端子Ｔ４から流出するのをインダクタンス素子Ｌ１が阻止する範囲内に設定される。高周波成分のインピーダンスが高い（例えば100kHzで約100Ω）インダクタンス素子Ｌ１は、高周波成分のインピーダンスが高いためＤＣ電力入力側の負極から接地端子Ｔ４への高周波ノイズの流出を阻止する高周波阻止部として機能する一方、ＤＣ帯域では抵抗値がＤＣ抵抗成分のみで非常に小さいためＤＣ電力入力側の負極接地の妨げにならない。
【００４０】
＜第３実施形態＞
図３は、本発明の第３実施形態に係る太陽光発電システムの概略構成を示すブロック図である。なお、図３において図１と同一の部分には同一の符号を付し、詳細な説明を省略する。
【００４１】
本発明の第３実施形態に係る太陽光発電システムは、電力変換装置１Ｃと太陽電池モジュール２とを備える。電力変換装置１Ｃは、電力変換装置１Ａにインダクタンス素子Ｌ１を新たに設けた構成であり、電力変換装置１Ａと同様、接地工事の施工によりＤＣ電力入力側の負極が接地されるタイプの太陽光発電システム用電力変換装置である。なお、電力変換装置１Ｃにおいて、インダクタンス素子Ｌ１は抵抗素子Ｒ１と地絡保護ヒューズ１６との間に設けられ、インダクタンス素子Ｌ１と抵抗素子Ｒ１とが直列接続されている。接地端子Ｔ４に接続される接地線４を用いてＤ種接地工事が施工され、電力変換装置１ＣのＤＣ電力入力側の負極が接地される。
【００４２】
電力変換装置１Ｃでは、高周波ノイズが接地線４に回り込んで外部に漏洩することを抑制するために、低抵抗（例えば約10Ω）の抵抗素子Ｒ１と高周波成分のインピーダンスが高い（例えば100kHzで約100Ω）インダクタンス素子Ｌ１との直列接続体をＤＣ電力入力側の負極と接地端子Ｔ４との接続経路上に設けている。当該直列接続体のインピーダンス値は、ＤＣ電力入力側の負極を接地して太陽電池モジュール２の特性が劣化せず、且つ、インバータ１３から発生した高周波ノイズが接地端子Ｔ４から流出するのを当該直列接続体が阻止する範囲内に設定される。低抵抗（例えば約10Ω）の抵抗素子Ｒ１と高周波成分のインピーダンスが高い（例えば100kHzで約100Ω）インダクタンス素子Ｌ１との直列接続体は、ＤＣ電力入力側の負極から接地端子Ｔ４への高周波ノイズの流出を阻止する高周波阻止部として機能する一方、ＤＣ電力入力側の負極接地の妨げにならない。
【００４３】
＜第４実施形態＞
図４は、本発明の第４実施形態に係る太陽光発電システムの概略構成を示すブロック図である。なお、図４において図３と同一の部分には同一の符号を付し、詳細な説明を省略する。
【００４４】
太陽電池の中には、特性が劣化するのを正極接地により防止することができるものがある。本発明の第４実施形態は、かかるタイプの太陽電池を用いる場合に好適である。
【００４５】
本発明の第４実施形態に係る太陽光発電システムは、電力変換装置１Ｄと太陽電池モジュール２とを備える。電力変換装置１Ｄは、ＤＣフィルタ１２とインバータ１３との接続ノードにおいて抵抗素子Ｒ１の一端を電力変換装置１ＤのＤＣ電力入力側の負極ではなく正極に接続した点を除き、電力変換装置１Ｃと同様の構成である。接地端子Ｔ４に接続される接地線４を用いてＤ種接地工事が施工され、電力変換装置１ＤのＤＣ電力入力側の正極が接地される。
【００４６】
万が一、電力変換装置１ＤのＤＣ電力入力側の負極が地絡した場合は、地絡保護ヒューズ１６に過電流が流れて溶断することで、或いは、地絡検出回路１７が過電流を検出して、ＤＣブレーカ１１に遮断信号を送りＤＣブレーカ１１を動作させ、正極入力端子Ｔ１及び負極入力端子Ｔ２とＤＣフィルタ１２とを電気的に切り離すことで、地絡による不安全な状態を回避する。
【００４７】
しかし、接地工事の施工により電力変換装置１ＤのＤＣ電力入力側の正極が接地される構成を採用したため、電力変換装置１Ｄのインバータ１３で発生した高周波ノイズが電力変換装置１ＤのＤＣ電力入力側の正極からの接地線４に回り込み、中波帯を中心にして高周波ノイズが外部に漏洩することを抑制する方策を講じる必要がある。
【００４８】
そこで、電力変換装置１Ｄでは、高周波ノイズが接地線４に回り込んで外部に漏洩することを抑制するために、低抵抗（例えば約10Ω）の抵抗素子Ｒ１と高周波成分のインピーダンスが高い（例えば100kHzで約100Ω）インダクタンス素子Ｌ１との直列接続体をＤＣ電力入力側の正極と接地端子Ｔ４との接続経路上に設けている。当該直列接続体のインピーダンス値は、ＤＣ電力入力側の正極を接地して太陽電池モジュール２の特性が劣化せず、且つ、インバータ１３から発生した高周波ノイズが接地端子Ｔ４から流出するのを当該直列接続体が阻止する範囲内に設定される。低抵抗（例えば約10Ω）の抵抗素子Ｒ１と高周波成分のインピーダンスが高い（例えば100kHzで約100Ω）インダクタンス素子Ｌ１との直列接続体は、ＤＣ電力入力側の正極から接地端子Ｔ４への高周波ノイズの流出を阻止する高周波阻止部として機能する一方、ＤＣ電力入力側の正極接地の妨げにならない。
【００４９】
＜その他＞
以上、本発明に係る実施形態について説明したが、本発明の範囲はこれに限定されるものではなく、発明の主旨を逸脱しない範囲で種々の変更を加えて実行することができる。
【００５０】
例えば、接地端子Ｔ４は接地線接続部の一例であって、端子形状でない他の接地線接続部を用いても構わない。
【００５１】
また、例えば、本発明の第３実施形態に係る太陽光発電システムの一構成要素である電力変換装置１Ｃ或いは本発明の第４実施形態に係る太陽光発電システムの一構成要素である電力変換装置１Ｄにおいて、低抵抗（例えば約10Ω）の抵抗素子Ｒ１と高周波成分のインピーダンスが高い（例えば100kHzで約100Ω）インダクタンス素子Ｌ１との位置を取り替えてもよい。
【００５２】
また、例えば、本発明の第４実施形態に係る太陽光発電システムの一構成要素である電力変換装置１Ｄにおいて、低抵抗（例えば約10Ω）の抵抗素子Ｒ１と高周波成分のインピーダンスが高い（例えば100kHzで約100Ω）インダクタンス素子Ｌ１のいずれか一方を取り除いてもよい。
【００５３】
また、例えば、本発明の第１〜４実施形態に係る太陽光発電システムの一構成要素である電力変換装置１Ａ〜１Ｄにおいて、ＤＣフィルタ１２とインバータ１３との間に、昇圧を行うＤＣ／ＤＣコンバータを設け、ＤＣ電力入力側の片側が、当該ＤＣ／ＤＣコンバータとＤＣフィルタ１２との接続ノードにおいて接続経路（ＤＣ電力入力側の片側と接地端子Ｔ４との接続経路）に接続されるようにしてもよい。
【００５４】
また、本発明に係る電力変換装置は、ＤＣ電力を電圧値の異なるＤＣ電力に変換する電力変換装置であってもよい。例えば、図１に示す電力変換装置１Ａにおいて、インバータ１３をＤＣ／ＤＣコンバータ１８に、ＡＣフィルタ１４をＤＣフィルタ１９に、商用系統３を直流負荷２０にそれぞれ置換して、図５に示す電力変換装置１Ｅのような構成にするとよい。なお、図５において図１と同一の部分には同一の符号を付している。制御部１５は、例えばＤＣ／ＤＣコンバータ１８の入力電流及び入力電圧を検出し、最大電力追従方式でＤＣ／ＤＣコンバータ１８を制御する。ＤＣ／ＤＣコンバータ１８は、太陽電池モジュール２から出力されるＤＣ電力を直流負荷２０に適した電圧値のＤＣ電力に変換するチョッパ型のＤＣ／ＤＣコンバータであって、制御部１５から出力されるスイッチング素子駆動信号（例えばＰＷＭ（pulse width modulation）信号）に基づいて、スイッチング素子を高速でスイッチングする。ＤＣフィルタ１９は、ＤＣ／ＤＣコンバータ１８から出力端子Ｔ３に高周波ノイズが流出することを抑制する。
【００５５】
また、本発明に係る電力変換装置は、太陽光発電システム以外の発電システム（例えば燃料電池発電システムなど）で用いることも可能である。
【符号の説明】
【００５６】
１Ａ〜１Ｇ  電力変換装置
２  太陽電池モジュール
３  商用系統
１１  ＤＣブレーカ
１２  ＤＣフィルタ
１３  インバータ
１４  ＡＣフィルタ
１５  制御部
１６  地絡保護ヒューズ
１７  地絡検出回路
１８  ＤＣ／ＤＣコンバータ
１９  ＤＣフィルタ
２０  直流負荷
Ｌ１  インダクタンス素子
Ｒ１  抵抗素子
Ｔ１  正極入力端子
Ｔ２  負極入力端子
Ｔ３  出力端子
Ｔ４  接地端子
【図１】
0005513791.tif 000002
【図２】
0005513791.tif 000003
【図３】
0005513791.tif 000004
【図４】
0005513791.tif 000005
【図５】
0005513791.tif 000006
【図６】
0005513791.tif 000007
【図７】
0005513791.tif 000008